(57)【要約】      （修正有）【課題】隠蔽情報を記載させる欄が設けられて記入後に折り曲げ接着により隠蔽させる葉書用シートに関し、隠蔽のために再剥離性接着剤層を表出させるための剥離片の初期剥離を容易にして取扱性を良好とする。【解決手段】葉書用シート１１において、再剥離性接着剤層１６が形成される第１シート片１２と隠蔽情報記入部２１を設けた第２シート片１３とが折り線１４で連設され、剥離シート１５が、第１シート片１２の再剥離性接着剤層１６上に貼着される貼着部１５Ａと、第２シート片１３側に折り線１４を越えて非貼着で延出される非貼着延出部１５Ｂとを当該貼着部１５Ａ側辺の全部又は一部で一体とさせる構成とする。【選択図】図１
2008012790.tif 000002
【特許請求の範囲】
【請求項１】
第１シート片、及び、隠蔽情報記入部を設けた第２シート片が折り線で連設されるシート基材と、
前記第１シート片上の、前記第２シート片の隠蔽情報記入部と同一面上に形成される再剥離性接着剤層と、
前記第１シート片上に形成された再剥離性接着剤層上に貼着される貼着部、及び、前記第２シート片側に前記折り線を越えて非貼着で延出される剥離のための非貼着延出部が上記貼着部側辺の全部又は一部で一体とされる剥離片と、
を有することを特徴とする葉書用シート。
【発明の詳細な説明】
【技術分野】
【０００１】
本発明は、隠蔽情報を記載させる欄が設けられて記入後に折り曲げ接着により隠蔽させる葉書用シートに関する。
【背景技術】
【０００２】
近年、葉書に隠蔽情報を記入させて当該隠蔽情報上に隠蔽部材を貼付して隠蔽させることができるようになって以来、盛んに利用されてきており、葉書として規定内で種々の形態が提案されてきている。このような葉書は、銀行などの金融業者やデパートなどの大規模小売業者、通信販売業者などにおいて新サービスや新商品の案内状と共に顧客側からの申し込みを受けるための葉書を併せて提供する場合等、その使用される範囲が広い。したがって、取り扱いの容易な構成のものが望まれる。
【０００３】
従来、隠蔽情報を隠蔽させる葉書、特に申し込みなどに用いられる葉書には各種の個人情報が記載されることから、葉書の送付途中などで情報が表れないように隠蔽する必要があり、隠蔽部材を備え付けるようにした、例えば下記の特許文献に開示されている。
【０００４】
【特許文献１】特開２００１−３３４７７７号公報
【０００５】
ここで、図４に、従来の葉書用シートの説明図を示す。図４（Ａ）〜（Ｃ）に示す葉書用シート１０１は、上記特許文献に開示されているもので、葉書本体１０２を等分する位置に折りミシン目１０３が形成され、当該折りミシン目１０３の一方側に隠蔽情報記載部１０４が設けられ、他方側における当該折りミシン目１０３より拡張部位１０５を確保して粘着剤層１０５が設けられている。そして、粘着剤層１０５上に別紙１０７が当該粘着剤層１０５に対して剥離自在に貼着されたものである。
【０００６】
このような葉書シート１０１は、図４（Ｂ）に示すように、隠蔽情報記載部１０４に所定内容が記載された後に、別紙１０７をその拡張部位１０５側の隅より剥離する。そして、図４（Ｃ）に示すように、折りミシン目１０３で当該隠蔽情報記載部１０４を覆うように折り重ね接着することで隠蔽情報記載部１０４が葉書本体１０２の他方側で隠蔽されるものである。
【発明の開示】
【発明が解決しようとする課題】
【０００７】
従来の隠蔽用の葉書用シートは、上記別紙１０７（剥離紙）に関して上記特許文献に開示されている構造のものや、当該別紙（剥離紙）に初期剥離用の切欠きを形成したものが多い。しかしながら、別紙（剥離紙）の葉書本体への粘着剤層による貼着は、再剥離可能とは言え、製造時の圧着ローラによる荷重から保管時の積み重ねの荷重によって貼着力が大きくなって剥がし難くなり、これによって初期剥離が上記切欠きを形成しても困難になるという問題がある。
【０００８】
そこで、本発明は上記課題に鑑みなされたもので、隠蔽のために再剥離性接着剤層を表出させるための剥離片の初期剥離を容易にして取扱性の良好な葉書用シートを提供することを目的とする。
【課題を解決するための手段】
【０００９】
上記課題を解決するために、請求項１の発明では、第１シート片、及び、隠蔽情報記入部を設けた第２シート片が折り線で連設されるシート基材と、前記第１シート片上の、前記第２シート片の隠蔽情報記入部と同一面上に形成される再剥離性接着剤層と、前記第１シート片上に形成された再剥離性接着剤層上に貼着される貼着部、及び、前記第２シート片側に前記折り線を越えて非貼着で延出される剥離のための非貼着延出部が上記貼着部側辺の全部又は一部で一体とされる剥離片と、を有する構成とする。
【発明の効果】
【００１０】
本発明によれば、剥離片が、シート基材の第１シート片の再剥離性接着剤層上に貼着される貼着部と、第２シート片側に折り線を越えて非貼着で延出される非貼着延出部が当該貼着部側辺の全部又は一部で一体として構成することにより、剥離片を非貼着延出部で初期剥離させることで、隠蔽のために再剥離性接着剤層を表出させるための剥離片の初期剥離を容易とすることができ、取扱性を良好とさせることができるものである。
【発明を実施するための最良の形態】
【００１１】
以下、本発明の最良の実施形態を図により説明する。
図１に、本発明に係る葉書用シートの構成図を示す。図１（Ａ）は展開された状態の構成図、図１（Ｂ）はその断面図、図１（Ｃ）は折り込んだ状態の断面図、図１（Ｄ）は図１（Ｃ）の斜視概念図である。図１（Ａ）、（Ｂ）において、葉書用シート１１は、第１シート片１２と第２シート片１３とが折り線１４で連設させてシート基材を構成する。当該シート基材は紙製で折り畳んだときに葉書大となる大きさのものである。第２シート片１３の一方面（折り畳んだときの谷側となる面）に隠蔽情報記入部２１が印刷等により設けられ、第１シート１２片上の、第２シート片１３の隠蔽情報記入部２１と同一面上に再剥離性接着剤層１６が形成される。なお、第１シート片１２の他方面（折り畳んだときに山側の面）が、葉書の形態とする宛名が記載される面となるが、この宛名面を第２シート片１３に形成してもよい。
【００１２】
一方、上記第１シート片１２に形成された再剥離性接着剤層１６には機能性の剥離片である剥離シート１５の一部が貼着される。当該剥離シート１５は、第１シート１２片上に形成された再剥離性接着剤層１６上に貼着される貼着部１５Ａ、及び、第２シート片１３側に折り線１４を越えて非貼着で延出される剥離のための非貼着延出部１５Ｂが上記貼着部１５Ａ側辺の全部で一体とされる構成である。ここで、機能性とは、再剥離性接着剤層１６を覆い、後に表出させるだけでなく、所定の情報伝達記載部２２を設けて情報伝達させる機能を備えさせることをいう。例えば上記隠蔽情報記入部２１の記入例を記載して隠蔽情報の記入情報を伝達させる場合である。
【００１３】
なお、上記再剥離性接着剤層１６を形成する接着剤は、再剥離、再接着の自在なものであって、顧客側で低加圧（例えば１０〜３０Ｋｇ重）により貼着させるために、例えば従前より知られている感圧型のものが採用される。感圧型の接着剤としては、生天然ゴムラテックス、加硫天然ゴムラテックス、天然ゴムにスチレンとメタクリル酸メチルとをグラフト共重合させて得られた天然ゴムラテックス、またはこれらの混合物の接着剤基剤に、例えば酸化亜鉛、酸化チタン、炭酸カルシウム、カオリン、活性白土、球状アルミナ、小麦デンプン、シリカ、ガラス粉末、シラスバルーン等の微粒状充填剤を単独または２種以上を組み合わせ（特にシリカと他の充填剤との組み合わせ、また粒径の異なる２種以上を組み合わせが好適である）たものであって、平均粒子径が１０ｎｍ〜３０μｍ、好ましくは１μｍ〜２０μｍの範囲の微粒状充填剤を添加した感圧接着剤組成物で形成されたものがある。
【００１４】
図１（Ａ）、（Ｂ）に示される葉書用シート１１は、図１（Ｃ）、（Ｄ）に示すように、第２シート片１３の隠蔽情報記入部２１を谷側の面として、折り線１４により折り畳まれる。このときに剥離シート１５の非貼着延出部１５Ｂが第２シート片１３側に折り畳まれることとなる。この葉書用シート１１は、例えば口座自動振り込みや商品購入等の申込用として、パンフレットや商品カタログ等と同封されて顧客側に提供される。この場合、当該葉書用シート１１は、第１シート片１２及び第２シート片１３が折り畳まれていることから、これを顧客側が開いた状態としたときには、非貼着延出部１５Ｂが既に起き上がった状態となっており、後に当該剥離シート１５を剥離させるときに把持しやすくなる。もちろん、折り畳まずにそのまま同封して顧客側に提供してもよい。
【００１５】
そこで、図２に、図１の葉書用シートの使用例の説明図を示す。まず、図１（Ａ）に示す葉書用シート１１において、例えば当該葉書用シート１１が折り畳まれずに平面状態で提供される場合に、所定の顧客（記入者）が剥離シート１５上の情報伝達記載部２２に記載された記入例を参考にして隠蔽情報記入部２１上に所定の記載を終了させてから、当該葉書用シート１１を、第２シート片１３の隠蔽情報記入部２１を谷側の面として、折り線１４により折り畳むことにより、非貼着延出部１５Ｂが起き上がり、把持しやすくなる。そして、図２（Ａ）に示すように、非貼着延出部１５Ｂの所定部分（例えば下隅）を把持して剥離すると、再剥離性接着剤層１６が表出される。なお、上述のように、葉書用シート１１が折り畳まれて提供された場合には、隠蔽情報記入部２１上に記載するために開いた状態としたときには、非貼着延出部１５Ｂが既に起き上がった状態となっており、後に当該剥離シート１５を剥離させるときに把持しやすくなるものである。
【００１６】
続いて、図２（Ｂ）に示すように、隠蔽情報を記入した隠蔽情報記入部２１を隠蔽するように折り線１４より折り畳んで所定の圧力を加えることで当該隠蔽情報記入部２１が第１シート片１２と再剥離自在に貼着されて隠蔽されるものである。
【００１７】
このように、剥離シート１５を非貼着の非貼着延出部１５Ｂで把持させて初期剥離させることから、隠蔽のために再剥離性接着剤層を表出させるための剥離シート１５の初期剥離からの全剥離を容易とすることができ、葉書用シート１１として取扱性を良好とさせることができるものである。なお、本実施形態は、剥離シート１５を剥離する前に、一度、第２シート片１３の隠蔽情報記入部２１を谷側の面として、折り線１４により折り畳むこととしているが、上記のように、葉書用シート１１が第２シート片１３の隠蔽情報記入部２１を谷側の面として、折り線１４により折り畳まれた状態で、封筒等に入れられた状態で送られてくる場合等は、開いた際には既に非貼着延出部１５Ｂが起き上がっていることから、隠蔽情報を記入した後に、わざわざ折り畳む必要は無い。このことは図３の実施形態においても同様である。
【００１８】
次に、図３に、本発明に係る葉書用シートの他の構成図を示す。図３に示す葉書用シート１１は、その剥離シート１５の非貼着延出部１５Ｃを、貼着部１５Ａ側辺の一部に折り線１４を超えて第２シート片１３側に延出させたもので、他の構成は図１と同様である。すなわち、剥離シート１５を剥離させるための把持する部分が必要十分に確保された構成としたものであり、好ましくは図のような貼着部１５Ａの下方に、又は上方に一体で構成される。
【００１９】
このように、剥離シート１５を初期剥離させるための非貼着延出部１５Ｃの把持部分を、貼着部１５Ａの側辺の一部に一体で形成させることによっても、上記同様に隠蔽のために再剥離性接着剤層を表出させるための剥離シート１５の初期剥離からの全剥離を容易とすることができ、葉書用シート１１として取扱性を良好とさせることができるものである。
【産業上の利用可能性】
【００２０】
本発明の葉書用シートは、隠蔽情報をシート片の折り曲げ接着で隠蔽させる葉書に利用可能である。
【図面の簡単な説明】
【００２１】
【図１】本発明に係る葉書用シートの構成図である。
【図２】図１の葉書用シートの使用例の説明図である。
【図３】本発明に係る葉書用シートの他の構成図である。
【図４】従来の葉書用シートの説明図である。
【符号の説明】
【００２２】
１１            葉書用シート
１２            第１シート片
１３            第２シート片
１４            折り線
１５            剥離シート
１５Ａ          粘着部
１５Ｂ，１５Ｃ  非貼着延出部
１６            再剥離性接着剤層
２１            隠蔽情報記入部
２２            情報伝達記載部
【図１】
2008012790.tif 000003
【図２】
2008012790.tif 000004
【図３】
2008012790.tif 000005
【図４】
2008012790.tif 000006